(57)【要約】【課題】  押出成形された長尺成形品を冷却する冷却装置において、長尺成形品の表面から確実に気泡を除去して、表面状態の良好な長尺成形品を得ることができる冷却装置を提供する。【解決手段】  押出成形機により押出成形された長尺成形品１０を冷却する冷却装置において、冷却装置は、押出成形機の近傍に設置され、冷却装置は、水槽２０と水槽内に設置されるガイド３０から形成される。水槽２０は押出成形機から押出された長尺成形品１０を、水中を移送しつつ冷却可能に構成され、ガイド３０は、冷却水が噴流可能な多数の小孔３７が設けられ、小孔から長尺成形品の表面に水を噴流させるよう構成されたことを特徴とする長尺成形品の冷却装置である。【選択図】        図３
2006056207.tif 000002
【特許請求の範囲】
【請求項１】
押出成形機により押出成形された長尺成形品を冷却する冷却装置において、
該冷却装置は、上記押出成形機の近傍に設置され、上記冷却装置は、冷却水槽と該冷却水槽内に設置されるガイドから形成され、
上記冷却水槽は、上記押出成形機から押出された長尺成形品を、水中を移送しつつ冷却可能に構成され、
上記ガイドは、冷却水が噴流可能な多数の小孔が設けられ、該小孔から長尺成形品の表面に対して水を噴流させるよう構成されたことを特徴とする長尺成形品の冷却装置。
【請求項２】
上記ガイドは、上部ガイドと下部ガイドより構成され、該上部ガイドと下部ガイドの組み合わされた部分において、上記長尺成形品の断面形状に対応した断面形状のガイド孔を有し、
該下部ガイドは、上記長尺成形品の移送方向に沿って上記冷却水槽の長手方向に伸びるよう板状に形成されるとともに、上記長尺成形品の表面に対して冷却水を噴流可能な多数の小孔が設けられ、
上記上部ガイドは、幅方向に上記下部ガイドの上部の一部を覆うように門状に設けられた請求項1に記載の長尺成形品の冷却装置。
【請求項３】
上記冷却水槽は、上記長尺成形品の移送方向に沿って第１冷却水槽と第２冷却水槽から構成され、上記上部ガイドは、上記長尺成形品の移送方向に沿って第１上部ガイドと第２上部ガイドから構成され、上記第１上部ガイドは上記第１冷却水槽に設置され、上記第２上部ガイドは上記第１冷却水槽と第２冷却水槽との間に設置される請求項1または請求項２に記載の長尺成形品の冷却装置。
【請求項４】
上記長尺成形品は、ウエザストリップである請求項1乃至請求項３のいずれかに記載の長尺成形品の冷却装置。
【請求項５】
上記押出成形された長尺成形品は、一部が連続して２本が平行に同時に押出成形される請求項1乃至請求項４のいずれかに記載の長尺成形品の冷却装置。
【請求項６】
上記長尺成形品は、熱可塑性エラストマーを押出成形して形成される請求項1乃至請求項５のいずれかに記載の長尺成形品の冷却装置。
【発明の詳細な説明】
【技術分野】
【０００１】
本発明は、押出成形機により押出成形された長尺成形品を押出後直ちに、冷却する冷却装置に関するものである。
【背景技術】
【０００２】
押出成形機により成形された長尺成形品は、高温の可塑状態で押出される。この長尺成形品は、形状を保持しその後の加工を容易にするため、押出成形後直ちに冷却される。この冷却は、押出成形機のダイスの近傍に、冷却水槽を設けて、長尺成形品をその冷却水槽の中に移送して水冷することが行なわれている（例えば、特許文献１参照。）。
【０００３】
従来技術を、長尺成形品の成形時の冷却についてアウターウエザストリップ１０の冷却を例にとり説明する。図７に従来の冷却水槽１２０を示す。冷却水槽１２０は、図７に示すように、押出成形機の近傍に設置される。押出成形機から押出された長尺成形品であるアウターウエザストリップ１０は、押出直後に冷却水槽１２０に移送される。冷却水槽１２０では、冷却水槽１２０の入口側にアウターウエザストリップ１０の移送方向にそって第１ガイド１３１と、第２ガイド１３２が設けられている。
【０００４】
このためアウターウエザストリップ１０は、まず第１ガイド１３１に設けられたガイド孔３０ａを通り、第１冷却水槽１２１に導入される。この第１冷却水槽１２１で、アウターウエザストリップ１０の下半分がまず冷却される。
その後、第２ガイド１３２に設けられたガイド孔を通り第２冷却水槽１２２に移送され、アウターウエザストリップ１０はその全体が第２冷却水槽１２２の水中に入り移動しつつ冷却される。その後、アウターウエザストリップ１０は、引取機により引き取られて、次の加工工程に移送される。
【０００５】
しかしながら、押出成形直後の長尺成形品の表面は例えば１６０℃程度の高温であり、冷却のため水中に入ると、表面と接触する水が部分的に沸騰、気化して、長尺成形品の表面に気泡が付着する場合がある。この気泡の付着は、そのままでは表面から剥がれ難く、冷却水槽での冷却中は、そのまま付着し続ける場合がある。この気泡が付着したまま長尺成形品が冷却水槽中を移動して冷却されると、気泡が付着した部分は、付着しない部分と比べて表面が冷却され難くなる。
【０００６】
このため、冷却のバラツキにより、気泡が付着していない部分と他の部分には外観にバラツキが生じる。即ち、気泡が付着した部分は、冷却が遅れて、その部分が収縮して、表面が凹んだりして、色ムラができて見栄えがよくない。
そこでこの気泡を表面から剥がすために、長尺成形品の表面にブラシ等を当てて取り除くことも考えられるが、長尺成形品は冷却前は軟らかく、表面が傷つく恐れがあり、また表面形状も複雑であり、完全に除去することは困難であった。
【０００７】
また例えば、図６に示すようなアウターウエザストリップ等の長尺成形品において、トリム部１１車外側側壁１３と上部壁１４の表面は、自動車に組み付けられると、自動車ドアのベルトライン上に位置することとなる。このような目立つ部分（意匠面）に冷却時の外観不良が生じることは、デザイン的に好ましくない。
なお、図６中、１５、１６はドアガラスと摺接するシールリップであって、その表面には、アウターウエザストリップの押出成形工程の後の植毛工程で、ナイロンパイル等の植毛が施されている。
【特許文献１】特開２０００−３４４０２５号公報
【発明の開示】
【発明が解決しようとする課題】
【０００８】
そこで本発明は、押出成形機により押出成形された長尺成形品を冷却する冷却装置において、長尺成形品の表面から確実に気泡を除去して、表面状態の良好な長尺成形品を得ることができる冷却装置を提供することを課題とするものである。
【課題を解決するための手段】
【０００９】
上記課題を解決するために請求項１の本発明は、押出成形機により押出成形された長尺成形品を冷却する冷却装置において、
冷却装置は、押出成形機の近傍に設置され、冷却装置は、冷却水槽と冷却水槽内に設置されるガイドから形成され、冷却水槽は押出成形機から押出された長尺成形品を、水中を移送しつつ冷却可能に構成され、ガイドは、冷却水が噴流可能な多数の小孔が設けられ、小孔から長尺成形品の表面に対して水を噴流させるよう構成されたことを特徴とする長尺成形品の冷却装置である。
【００１０】
請求項１の本発明では、冷却装置は、押出成形機の近傍に設置される。このため、押出成形機から押出された長尺成形品は、すぐに冷却され、押出された形状を維持することができ、寸法・形状を確実に保持できる。
冷却装置は、冷却水槽と冷却水槽内に設置されるガイドから形成される。このため、長尺成形品はガイドに案内されて、冷却水槽の水で急速に冷却されるとともに、水中をガイドで形状を保持されてスムースに移動することができる。
冷却水槽は押出成形機から押出された長尺成形品を、水中を移送しつつ冷却可能に構成されているため、長尺成形品を押出成形機の押出速度に合わせて移送され、連続的に完全に冷却することができる。
【００１１】
ガイドは、冷却水が噴流可能な多数の小孔が設けられ、小孔から長尺成形品の表面に対して水を噴流させるよう構成されている。このため、長尺成形品の表面に対して細かい水流を当てることができる。長尺成形品が冷却水槽内に移送されると、冷却水槽の水中のガイドの上を移動しつつ冷却されるとともに、長尺成形品の表面に対して上記ガイドの小孔から水を噴流させる。このため、長尺成形品は、冷却水槽の水中を移動しつつ冷却され、高温の長尺成形品の表面に生じた気泡を、ガイドの小孔から噴流された水で除去することができる。また、長尺成形品は、冷却水槽中でガイド上を移動中に冷却水が万遍なくその表面を流れることとなる。小孔から噴流される水は、大きな穴から噴流される水と比べて、長尺成形品の表面への圧力が小さく、気泡は除去されるが、長尺成形品の表面が凹んだり、変形することがない。また、小孔から噴流される水で表面を冷却することができるため、冷却効率が向上する。
【００１２】
請求項２の本発明は、ガイドは、上部ガイドと下部ガイドより構成され、上部ガイドと下部ガイドの組み合わされた部分において、長尺成形品の断面形状に対応した断面形状のガイド孔を有し、下部ガイドは、長尺成形品の移送方向に沿って冷却水槽の長手方向に伸びるよう板状に形成されるとともに、長尺成形品の表面に対して冷却水を噴流可能な多数の小孔が設けられ、上部ガイドは、幅方向に下部ガイドの上部の一部を覆うように門状に設けられた長尺成形品の冷却装置である。
【００１３】
請求項２の本発明では、ガイドは、上部ガイドと下部ガイドより構成され、上部ガイドと下部ガイドの組み合わされた部分において、長尺成形品の断面形状に対応した断面形状のガイド孔を有しているため、長尺成形品を所定の断面形状にサイジングすることができるとともにその断面形状を維持したままで、冷却水槽中をスムースに移動させることができる。
下部ガイドは、長尺成形品の移送方向に沿って冷却水槽の長手方向に伸びるよう板状に形成されるため、長尺成形品を移送させつつ長尺成形品の広い部分にわたり水を噴流させることができる。特に、長尺成形品の表面に対して冷却水を噴流可能な多数の小孔が設けられているため、表面の外観が重要な意匠面に対しても凹みや色ムラ等を生じさせるようなことはない。
【００１４】
上部ガイドは、幅方向に下部ガイドの上部の一部を覆うように門状に設けられたため、長尺成形品を下部ガイドとともに挟んで、ガイド孔を形成し、そのガイド孔を通して冷却水槽中で上記の長尺成形品を長尺成形品の形状を維持しつつ移送させることができる。また、上部ガイドは水槽の長手方向の幅が狭く、下部ガイドの一部のみに上部ガイドが設けられている。そのため、長尺成形品との接触を少なくして、移送抵抗を軽減することができる。
【００１５】
請求項３の本発明は、冷却水槽は、長尺成形品の移送方向に沿って第１冷却水槽と第２冷却水槽から構成され、上部ガイドは、長尺成形品の移送方向に沿って第１上部ガイドと第２上部ガイドから構成され、第１上部ガイドは第１冷却水槽に設置され、第２上部ガイドは第１冷却水槽と第２冷却水槽との間に設置される長尺成形品の冷却装置である。
【００１６】
請求項３の本発明では、冷却水槽は、長尺成形品の移送方向に沿って第１冷却水槽と第２冷却水槽から構成されるため、第１冷却水槽と第２冷却水槽の水位を変化させることや、水流の流れを変化させることができ、適切な冷却条件を選択できる。第１冷却水槽の水位を低くして、長尺成形品の意匠面のみを冷却すると、意匠面に生じた気泡を長尺成形品の他の部分に滞留させることなく容易に除去することができる。
上部ガイドは、長尺成形品の移送方向に沿って第１上部ガイドと第２上部ガイドから構成されるため、下部ガイドと合わせてガイド孔を形成して、このガイド孔により長尺成形品をスムースに移送することができる。
【００１７】
第１上部ガイドは第１冷却水槽に設置されるため、押出成形した長尺成形品の最初に冷却したい部分を適切に第１冷却水槽に移送して水中で冷却することができる。
第２上部ガイドは第１冷却水槽と第２冷却水槽との間に設置されるため、第２冷却水槽の水中に長尺成形品を沈めることができるとともに、第２冷却水槽の水位を適切に維持することができる。
【００１８】
請求項４の本発明は、長尺成形品は、ウエザストリップである長尺成形品の冷却装置である。
【００１９】
請求項４の本発明では、長尺成形品は、ウエザストリップであるため、長尺で断面形状が複雑なウエザストリップにおいても、押出成形の速度に合わせて冷却水槽中を長尺成形品の移送中に下部ガイドの小孔から噴流することにより、気泡が確実に除去できるとともに、除去された気泡が意匠面に溜まることがない。
【００２０】
請求項５の本発明は、押出成形された長尺成形品は、一部が連続して２本が平行に同時に押出成形される長尺成形品の冷却装置である。
【００２１】
請求項５の本発明では、押出成形された長尺成形品は、一部が連続して２本が平行に同時に押出成形される。このため、断面形状において左右対称形に押出成形することができ、押出時の材料のバランスがよく、成形がスムースである。２本の長尺成形品は一部が連続しているため、冷却中は１本のまとまりとして、一体的に移動することができ、冷却が容易である。また、２本同時に押出成形するため、生産効率がよい。
【００２２】
請求項６の本発明は、長尺成形品は、熱可塑性エラストマーを押出成形して形成される長尺成形品の冷却装置である。
【００２３】
請求項６の本発明では、長尺成形品は、熱可塑性エラストマーを押出成形して形成されるため、高温で押出成形される熱可塑性エラストマー製の長尺成形品を急速に冷却して形状を安定させることができるとともに、冷却のバラツキがなく、長尺成形品の表面にヒケ等が生じることがない。
【発明の効果】
【００２４】
本発明では、冷却装置は押出成形機の近傍に設置されるため、押出成形機から押出された長尺成形品は、すぐに冷却され、寸法・形状を確実に保持できる。冷却装置は、冷却水槽と冷却水槽内の水中に設置されるガイドから形成され、長尺成形品は冷却水槽の水で急速に冷却されるとともに、ガイドは冷却水が噴流可能な多数の小孔が設けられているため、長尺成形品の表面に対して細かく水流を当てることができる。
長尺成形品の表面にたいしてガイドの小孔から水を噴流させるため、長尺成形品は、冷却水槽の水中を移動しつつ冷却され、高温の長尺成形品の表面に生じた気泡を、この噴流で除去することができるとともに、冷却水槽中で移動の始から終わりまで万遍なく噴流させることができる。また、流水状態にあり水位の低い第１冷却水槽内でガイドの小孔から噴流される細かな水で表面を冷却することができるため、冷却効率が向上する。
【発明を実施するための最良の形態】
【００２５】
本発明の実施の形態を図１〜図６に基づき説明する。
図１は、本件発明の長尺成形品の冷却装置が使用される、生産工程の一部模式図である。長尺成形品は、押出成形機１により押出成形され、その直後に冷却装置に移送される。この実施の形態では長尺成形品は、アウターウエザストリップ１０を例にとり説明する。
冷却装置を出たアウターウエザストリップ１０は、引取機２に引き取られて、次の植毛、裁断、孔あけ、端末加工等の加工工程に移送される。
【００２６】
図２は、冷却装置の一部断面図である。冷却装置は、冷却水槽２０とガイド３０からなる。冷却水槽２０は、第１冷却水槽２１と第２冷却水槽２２から形成される。ガイド３０は、上部ガイド３１と下部ガイド３６からなり、上部ガイド３１は、第１上部ガイド３２と第２上部ガイド３６から構成される。
第１冷却水槽２１と第２冷却水槽２２は、アウターウエザストリップ１０の移送方向に沿って順に設けられ、押出成形されたアウターウエザストリップ１０は、まず第１冷却水槽２１に入る。第１上部ガイド３２が第１冷却水槽２１に設けられて、第２上部ガイド３６は、第１冷却水槽２１と第２冷却水槽２２の間に設けられる。
【００２７】
第１冷却水槽２１の水位は、アウターウエザストリップ１０の意匠面が水中に入ることができる深さであり、第２冷却水槽２２の水位は、アウターウエザストリップ１０の全体が水中に入ることができる深さに設定させることが好ましい。
また、第１冷却水槽２１では、その上部から水が溢れ出て常に流水状態となっており、第１冷却水槽２１内の水の温度を制御している。
第１上部ガイド３２と第２上部ガイド３６は、後述するように、アウターウエザストリップ１０の上部断面形状に対応するガイド孔３０ａが形成されている。
【００２８】
第１上部ガイド３２は、押出成形された直後のアウターウエザストリップ１０を直ちに第１冷却水槽２１に導くように位置している。第２上部ガイド３６は、第１冷却水槽２１と第２冷却水槽２２の間の仕切り壁となり、第２冷却水槽２２の水位を維持しているとともに、アウターウエザストリップ１０の上部断面形状のサイジングができるようになっている。
下部ガイド３６は、冷却水槽２０の水中に設置され、図４に示すように長手方向に伸びる板状に形成される。下部ガイド３６は、冷却水槽２０の長尺成形品の移送方向の上流の先端から下流方向に向けて設置され、第１冷却水槽２１を通り、第２冷却水槽２２の途中までの位置に設置される。
【００２９】
下部ガイド３６は、図３と図４に示すように、断面形状が中空に形成され、その上面は冷却されるアウターウエザストリップ１０の意匠面の断面形状に対応するように形成されている。本実施の形態では、図５に示すように、アウターウエザストリップ１０は一部が連続して平行して２本が同時に押出されるので、アウターウエザストリップ１０が２本平行に連結した状態で移送可能なようにその断面形状が形成されている。
【００３０】
下部ガイド３６の中央部には、長手方向に連続する中央凸部３９が形成されている。中央凸部３９は断面形状が略Ｔ字形に形成され、図５に示すようにアウターウエザストリップ１０の２本が平行に、第１シールリップ１５同士が一部連結した形状において、第１シールリップ１５とカバーリップ１９との間に形成された凹部に挿入されるようになっている。そして、中央凸部３９はアウターウエザストリップ１０を保持しつつ移送させることができる。
【００３１】
下部ガイド３６の上面には、多数の小孔３７が設けられている。下部ガイド３６の中心は中空状に形成され、小孔３７から多数の水流が噴流できるように水を供給することができる水流路３８となっている。この水流路３８に外部から冷却水を供給することにより、すべての小孔３７から均一に冷却水を噴流することができる。
【００３２】
下部ガイド３６の上面には、図３に示すように、アウターウエザストリップ１０の意匠面を構成するトリム部１１の上面が対応して移送されるため、その意匠面に対して噴流できるように小孔３７が形成されている。小孔３７の大きさは、噴流がその意匠面を傷付けたり変形させることがなく、表面に付いた気泡等を除去できるに充分な大きさが選択される。小孔３７は、下部ガイド３６の上面に全面にわたり多数設けられているのでアウターウエザストリップ１０の意匠面の全体に対して移送中の所定時間中、冷却水を噴流させることができる。
【００３３】
この下部ガイド３６に対して、上部ガイド３１が取付けられる。上部ガイド３１の第１上部ガイド３２は、下部ガイド３６の上流側の上部に設けられ、第１冷却水槽２１中に位置する。第１上部ガイド３２は、水槽の長手方向の幅が狭く、下部ガイド３６の一部の上部を覆い、幅方向に門状に設置される。これにより第１上部ガイド３２と下部ガイド３６に挟まれた部分は、図３に示すように、押出成形されたアウターウエザストリップ１０の断面形状に対応したガイド孔３０ａが形成される。このガイド孔３０ａを通りアウターウエザストリップ１０が移送される。
このガイド孔３０ａは、アウターウエザストリップ１０がスムースに移送されるように若干アウターウエザストリップ１０の断面形状も大きく形成されている。
【００３４】
第２上部ガイド３６は、第１上部ガイド３２と同様な形状を有し、第１冷却水槽２１と第２冷却水槽２２の間の位置に、第１上部ガイド３２と同様に下部ガイド３６の上部に幅方向に門状に設置される。これにより第２上部ガイド３３と下部ガイド３６に挟まれた部分は、図３に示すように、押出成形されたアウターウエザストリップ１０の断面形状に対応したガイド孔３０ａが形成される。ただし、この第２上部ガイド３３によって形成されるガイド孔３０ａは、上記したようにアウターウエザストリップ１０の上部断面形状のサイジングができるようになっている。そして、このガイド孔３０ａを通り、アウターウエザストリップ１０が第１冷却水槽２１から第２冷却水槽２２へ移送される。
【００３５】
第１冷却水槽２１では、アウターウエザストリップ１０の下部のみが水冷されるように水槽の水の深さが調整され、第２冷却水槽２２では、アウターウエザストリップ１０の全体が水中に潜り込むように水槽の水の深さが調整されている。第２冷却水槽２２は長手方向に長く形成されて、アウターウエザストリップ１０が充分に冷却されるのに必要な時間だけ水中に維持することができる長さに構成されている。
第２冷却水槽２２には、第２上部ガイド３３の下流の水面付近に、アウターウエザストリップ１０を水中に押さえて、移送をスムースに行うことができる、押え部材を設けてもよい。
【００３６】
次に、長尺成形品であるアウターウエザストリップ１０の冷却方法を説明する。
図１に示すように、押出成形機１により熱可塑性エラストマー等の材料を使用して、長尺成形品（アウターウエザストリップ１０）を押出成形する。成形は、図５に示すように、２本のアウターウエザストリップ１０を平行にそのシールリップ１５同士が連結した状態で押出成形する。このようにすると押出成形機内の押出時の材料の流れの左右のバランスがとれて押出をスムースに行うことができ、成形速度も早くすることができる。
【００３７】
なお、成形されるアウターウエザストリップ１０は、自動車ドアのベルトラインに取付けられ、ドアとドアガラスとの間をシールするものである。その構成は、図６に示すように、断面略Ｕ字形のトリム部１１、第１シールリップ１５と第２シールリップ１６から形成される。トリム部１１は、車内側側壁１２、車外側側壁１３と上部に上部壁１４からなる断面略Ｕ字形であり、車内側側壁１２の内面に２本の車内側保持リップ１７と車外側側壁１３の内面に２本の車外側保持リップ１８とを有する。
【００３８】
この２本の車内側保持リップ１７と２本の車外側保持リップ１８とでドアパネルのフランジ５を保持して、アウターウエザストリップ１０をドアのベルトライン部に取付ける。車内側側壁１２の外面に第１シールリップ１５と第２シールリップ１６が設けられ、ドアガラス（図示せず）に当接して、ドアガラスの昇降時にドアガラスと摺動してシールする。
このような複雑な断面形状を有するため、後述するように、押出成形後の冷却時に表面に生じた気泡を除去することが容易ではない。
トリム部１１の車外側側壁１３と上部壁１４の外面は、ドアに装着したときに車外、車内から目立つ部分（意匠面）となる。このため、この意匠面に傷や凹み、表面色ムラ等が生ずることは好ましくない。
【００３９】
次に、押出成形機１から押出されたアウターウエザストリップ１０は、すぐに第１上部ガイド３２と下部ガイド３６との間のガイド孔３０ａを通り第１冷却水槽２１に入る。第１冷却水槽２１は、水槽の水の深さがアウターウエザストリップ１０の意匠面を構成する下半分が水中に入る程度の深さであるため、まず、意匠面が素早く冷却されて固化して、意匠面を保護することができる。
【００４０】
このとき、下部ガイド３６の小孔３７から冷却水をアウターウエザストリップ１０のトリム部１１の外面に噴流させることができる。押出直後の熱可塑性エラストマー製のアウターウエザストリップ１０は約１６０℃程度の高温であるため、水槽に移送されるとその表面は、部分的に水が水蒸気になり、表面に気泡が付着した状態となる場合がある。
【００４１】
この表面に気泡が付着した状態でそのまま冷却を続けると、気泡が付着した部分は、付着しない部分と比べて表面が冷却されにくくなる。このため、冷却のバラツキにより、気泡が付着していない部分と他の部分には外観にバラツキが生じる。即ち、気泡が付着した部分は、冷却が遅れて、その部分が収縮して、表面が凹んだりして、表面に色ムラが生じて見栄えがよくない。
【００４２】
このため、下部ガイド３６の小孔３７から冷却水をアウターウエザストリップ１０のトリム部１１の外面に噴流させて、この気泡を押し流すようにして除去する。噴流は小孔３７の直径が小さいため、大きな穴から噴流される水と比べて、アウターウエザストリップ１０の表面への圧力が小さく、気泡は除去されるが、アウターウエザストリップ１０の表面が凹んだり、変形することがない。また、小孔３７から噴流される水で表面を冷却することができるため、噴流水の温度や第１冷却水槽２１内の水の温度の制御が容易であり、かつ、冷却効率が向上する。
【００４３】
第１冷却水槽２１の水位を低くして、アウターウエザストリップ１０の意匠面のみを水中に入れて冷却すると、アウターウエザストリップ１０のトリム部１１の車外側側壁１３と上部壁１４の外面（意匠面）に生じた気泡を素早く除去することができる。除去した気泡は、アウターウエザストリップ１０のシールリップ１５、１６や他の部分が空気中にあるため容易に空気中に逃げて、上記他の部分に気泡として滞留することなく容易に除去することができる。
【００４４】
次に、アウターウエザストリップ１０は、第２上部ガイド３３と下部ガイド３６との間のガイド孔３０ａを通り第２冷却水槽２２に入る。第２冷却水槽２２は、水槽の水の深さがアウターウエザストリップ１０の全体が水中に入る程度の深さであるため、アウターウエザストリップ１０が完全に冷却される。第２冷却水槽２２は、長手方向に長く形成されており、アウターウエザストリップ１０が移送される時間も長く取ることができ、冷却時間も長くすることができる。
第２冷却水槽２２においても、その先端部分では第１冷却水槽２１と連続して下部ガイド３６が設けられて、下部ガイド３６の小孔３７から噴流を出すことができ、アウターウエザストリップ１０の意匠面に付着した気泡を完全に除去することができる。
【００４５】
本実施の形態では、アウターウエザストリップ１０を例にとり説明したが、他の長尺成形品、例えばガラスラン、オープニングトリム、サイドモール等の押出成形後の冷却装置にも使用することができる。
また、本実施の形態では、熱可塑性エラストマーの押出成形後の冷却について説明したが、軟質合成樹脂の押出成形後の冷却や、合成ゴムの加硫後の冷却にも使用することができる。
【図面の簡単な説明】
【００４６】
【図１】本発明の実施の形態における、成形工程の一部模式図である。
【図２】本発明の実施の形態における、冷却水槽の断面図である。
【図３】本発明の実施の形態における、ガイドの断面図である。
【図４】本発明の実施の形態における、下部ガイドの斜視図である。
【図５】本発明の実施の形態における、アウターウエザストリップを２列に平行に押出成形した断面図である。
【図６】本発明の実施の形態における、アウターウエザストリップの断面図である。
【図７】従来の冷却水槽の断面図である。
【符号の説明】
【００４７】
１  押出成形機
１０  アウターウエザストリップ
２０  冷却水槽
２１  第１冷却水槽
２２  第２冷却水槽
３０  ガイド
３０ａ  ガイド孔
３１  上部ガイド
３２  第１上部ガイド
３３  第２上部ガイド
３６  下部ガイド
【図１】
2006056207.tif 000003
【図２】
2006056207.tif 000004
【図３】
2006056207.tif 000005
【図４】
2006056207.tif 000006
【図５】
2006056207.tif 000007
【図６】
2006056207.tif 000008
【図７】
2006056207.tif 000009